(57)【要約】      （修正有）【課題】ブラシの掛合解除と取り出しが同時に達成可能なブラシ交換式歯ブラシの提供。【解決手段】グリップ１０、ブラシハンドル部前段２０、前押し機構３０及びブラシ４０からなり、ブラシハンドル部前段２０はグリップ１０に連接し、ブラシハンドル部前段２０はブラシ４０の受台２２を備える。前押し機構はグリップ１０に枢設されてレバー３１を起立することにより、半円歯３１１と噛み合う歯竿３４１を左方に押しやり、ブラシハンドル部前段２０軸内に配置された掛合固定片を移動させて該掛合固定片とブラシ４０との係合を開放し、同時にブラシ４０を左方に押し出して分離する。【選択図】図２
0003203476.tif 000002
【実用新案登録請求の範囲】
【請求項１】
前押し式替えブラシの歯ブラシにおいて、
グリップと、
該グリップに連接すると共に、ブラシの受台を備えるブラシハンドル部前段と、
該グリップに枢設するレバー及び該ブラシハンドル部前段に軸方向に相互に重ねて挿入される押片及び掛合固定片を備え、
該レバーは、その起立操作により該押片と該掛合固定片を前後方向に移動させる前押し機構を備え、
ブラシは、該受台に設置されて、該掛合固定片の一端がブラシおよび該ブラシハンドル部前段に掛合してブラシを交換可能に固定し、
該レバーを起立させて、該掛合固定片と該押片を該ブラシ方向へ移動させることにより、
該掛合固定片、該ブラシハンドル部前段及び該ブラシの掛合を解除し、同時に該押片が該ブラシを該受台から分離する方向に押し出すことを特徴とする前押し式替えブラシの歯ブラシ。
【請求項２】
前記グリップは、収容凹部を形成して該収容凹部内には枢設孔及び係止溝を形成し、前記レバーは該収容凹部に対応して設置すると共に枢設軸及び係止凸部が形成されて、該枢設軸は該枢設孔に対応して枢設結合して該レバーを起立操作可能とし、該係止凸部は該係止溝に対応して掛合結合することを特徴とする請求項１記載の前押し式替えブラシの歯ブラシ。
【請求項３】
前記グリップは、該収容凹部と連通する納置空間を形成し、該納置空間の内壁には間隔をあけて設置された複数の下掛合条を形成し、前記ブラシハンドル部前段には複数の下掛合溝を設置して、各該下掛合条は各該下掛合溝に掛合し、両者を固定することを特徴とする請求項２記載の前押し式替えブラシの歯ブラシ。
【請求項４】
前記ブラシハンドル部前段は、複数の上掛合溝を設置し、前記グリップ納置空間の内壁には間隔をあけて設置した複数の上掛合条を成形し、各該上掛合条は各該上掛合溝に対応して掛合し、両者を固定することを特徴とする請求項３記載の前押し式替えブラシの歯ブラシ。
【請求項５】
前記前押し機構は受動部品を更に備え、受動部品は前記押片と掛合固定片の一端を挟持し、前記レバーは半円歯を備えて該受動部品は該半円歯と噛み合って回転する歯竿を備え、該レバーの起立操作により該受動部品を介して該押片と掛合固定片を前後方向に移動させることを特徴とする請求項１記載の前押し式替えブラシの歯ブラシ。
【請求項６】
前記レバーは、掛合凸部を成形し、該受動部品は該掛合凸部を掛合固定する凹溝を設置することを特徴とする請求項５記載の前押し式替えブラシの歯ブラシ。
【請求項７】
前記ブラシハンドル部前段には穿孔を穿設し、前記掛合固定片と押片は該穿孔から前記受台まで挿入することを特徴とする請求項１記載の前押し式替えブラシの歯ブラシ。
【請求項８】
前記受台は、下台座及び該下台座に対応して被せる上台座を備え、該上台座は縦向連通開口と該縦向連通開口と相互に通じる横向連通開口を設け、前記掛合固定片の端部には一対の弾性フックを形成して前記押片の前段と各該弾性フックは該縦向連通開口と該横向連通開口内に嵌合されることを特徴とする請求項７記載の前押し式替えブラシの歯ブラシ。
【請求項９】
前記縦向連通開口内には、三角凸部が延長形成され、該三角凸部の両側に沿って該横向連通開口間まで、それぞれ停止斜面を成形し、各該弾性フックはそれぞれ該三角凸部と各該停止斜面の間に位置してセットされることを特徴とする請求項８記載の前押し式替えブラシの歯ブラシ。
【請求項１０】
前記ブラシは、ブラシ台を備え、該ブラシ台は一対の掛合孔を設置し、前記各弾性フックの角端が該横向連通開口から露出して、各該掛合孔に掛合されて固定されることを特徴とする請求項９記載の前押し式替えブラシの歯ブラシ。
【考案の詳細な説明】
【技術分野】
【０００１】
本考案は、歯ブラシに関するもので、特に前押し式替えブラシの歯ブラシに係る。
【背景技術】
【０００２】
現在、市場で販売されている歯ブラシは、ほとんどがプラスチック材で製造されていて、その使用寿命は通常三ヶ月程度で、歯ブラシのブラシ毛は歯に擦られ続けることによって、一定度の摩耗が発生し、洗浄機能が下がり、細菌が発生しやすくなるため、廃棄しなければならない。しかしながら、これは資源の浪費であり、環境保護に良くない。
【０００３】
業界では前述の問題を有効に改善するため、ブラシを交換する歯ブラシをデザインしている。それは主にグリップ及びグリップに連接するブラシを含む。ブラシはグリップと連接する台座及びブラシ毛が植えられた歯ブラシ片を含む。そのうち、台座と歯ブラシ片は互いに嵌合して結合する嵌合溝と嵌合部を備え、ブラシ毛を備えた歯ブラシ片を台座上に嵌合して結合し、替えブラシの歯ブラシを合わせる。
【先行技術文献】
【特許文献】
【０００４】
【特許文献１】実開平２−６８７２４号公報
【考案の概要】
【考案が解決しようとする課題】
【０００５】
解決しようとする問題点は、実際の使用過程において、嵌合溝を用いて固定すると、一定使用期間後に，差込孔が緩み、外れてしまいやすくなる点である。
【課題を解決するための手段】
【０００６】
本考案は、グリップ、ブラシハンドル部前段、前押し機構及びブラシからなる。ブラシハンドル部前段はグリップに連接し、ブラシハンドル部前段は受台を備える。前押し機構はグリップに枢設するレバー及び相互に重ねてブラシハンドル部前段に挿入する押片及び掛合固定片を含み、レバーは押片と掛合固定片を前後方向に移動させるのに用いる。ブラシは交換式で受台に設置し、掛合固定片の一端はブラシとブラシハンドル部前段に掛合する。そのうち、該レバーを起立すると、該掛合固定片と該押片がブラシ方向へ移動し、掛合固定片、ブラシハンドル部前段と該ブラシの掛合を解除し、同時に該押片が該ブラシを該受台から離す方向に押し出すことを最も主要な特徴とする。
【考案の効果】
【０００７】
本考案の前押し式替えブラシの歯ブラシは、ブラシの掛合解除と取り出しを同時に達成し、更に操作の便利性を高めるという利点がある。
【図面の簡単な説明】
【０００８】
【図１】本考案の前押し式替えブラシの歯ブラシ立体外観図である。
【図２】本考案の前押し式替えブラシの歯ブラシ分解図である。
【図３】本考案のブラシハンドル部前段と前押し機構分解図である。
【図４】本考案の前押し式替えブラシの歯ブラシの組立断面図である。
【図５】本考案の前押し機構とブラシの組立局部断面図である。
【図６】本考案の前押し式替えブラシの歯ブラシ使用状態断面図１である。
【図７】本考案の前押し式替えブラシの歯ブラシ使用状態別の断面図２である。
【考案を実施するための形態】
【０００９】
レバーを引き上げることで、ブラシの掛合解除と離脱を達成し、更に操作の便利性を高める前押し式替えブラシの歯ブラシを提供することを本考案の目的とする。
【００１０】
上述の目的を達成するため、本考案は前押し式替えブラシの歯ブラシを提供する。それはグリップ、ブラシハンドル部前段、前押し機構及びブラシから構成する。該ブラシハンドル部前段は該グリップに連接し、該ブラシハンドル部前段は受台を備える。該前押し機構は該グリップに枢設するレバーと、相互に重ねて該ブラシハンドル部前段に挿入する押片及び掛合固定片を備える。該レバーは該押片と該掛合固定片を前後方向に移動させるのに用いる。該ブラシは交換式で該受台に設置し、該掛合固定片の一端はそれぞれ該ブラシと該ブラシハンドル部前段に掛合する。そのうち、該レバーを起立させて該掛合固定片と該押片を該ブラシ方向へ移動させ、該掛合固定片、該ブラシハンドル部前段と該ブラシの掛合を解除し、同時に該押片が該ブラシを該受台から離す方向に押し出す。
【００１１】
本考案は、更に以下の効果を有する。レバーの掛合凸部と受動部品の凹溝が相互に掛合することでロック効果を達成する。レバーの半円歯によって受動部品の歯竿と噛みあわせて回転し、作動の安定性を高める。各弾性フックが停止斜面を押さえることで、省力効果を達成する。
【実施例】
【００１２】
本考案の詳細な説明及び技術内容は、図式と共に以下に説明するが、図式は参考として提供するに過ぎず、本考案を制限するものではない。
【００１３】
図１から図５に示すとおり、本考案は前押し式替えブラシの歯ブラシを提供し、それはグリップ１０、ブラシハンドル部前段２０、前押し機構３０及びブラシ４０からなる。
【００１４】
グリップ１０は、プラスチック製の細長形状体で、グリップ１０の前側外部には矩形の収容凹部１１を設置し、収容凹部１１の下端には枢設孔１２を形成し、収容凹部１１の上端則には係止溝１３を設置する。他にグリップ１０の前端には収容凹部１１と相互に連通する納置空間１４を設置し、納置空間１４の内壁下側位置には間隔をあけて設置した複数の下掛合条１５を設置し、内壁上側位置には複数の上掛合条１６を設置する。
【００１５】
ブラシハンドル部前段２０は、グリップ１０前側に成形され、グリップ１０に連接する。このブラシハンドル部前段２０はプラスチック材で製造され、その長さ方向には、前後に相通する穿孔２１(図３参照)が設置され、ブラシハンドル部前段２０の前側には受台２２を備え、受台２２は下台座２２１及び下台座２２１に対応して被覆固定する上台座２２２を備える。上台座２２２面には下台座２２１の端面向きに縦向連通開口２２３と、縦向連通開口２２３と相通じる横向連通開口２２４を形成し、縦向連通開口２２３の中段には三角凸部２２５を凸設し、三角凸部２２５の両側に沿って横向連通開口２２４までの位置に、それぞれ停止斜面２２６を成形する。また、ブラシハンドル部前段２０の後側の下表面には複数の下掛合溝２３ (図４参照)を設置し、各下掛合溝２３は、それぞれ前述のグリップ１０の各下掛合条１５と掛合固定し、ブラシハンドル部前段２０の後側上表面には複数の上掛合溝２４を設置し、各上掛合溝２４はそれぞれ前述のグリップ１０の各上掛合条１６と掛合固定する。
【００１６】
前押し機構３０は、レバー３１、押片３２、掛合固定片３３及び受動部品３４を備える（図５参照）。レバー３１は前述収容凹部１１に対応して設置し、レバー３１の下端には半円歯３１１を設置し、半円歯３１１両側にはそれぞれ枢設軸３１２を凸設し、各枢設軸３１２は、それぞれ前述の収容凹部１１内の枢設孔１２に対応して連接する。他に、レバー３１の上端には、それぞれ掛合凸部３１３を形成し、掛合凸部３１３両側には、それぞれ係止凸部３部１４を成形し、各係止凸部部３１４は、それぞれ前述の収容凹部１１内の係止溝１３に対応して結合する。
【００１７】
押片３２と掛合固定片３３はどちらも金属材で製造した細長形状板片で、掛合固定片３３の前端には一対の弾性フック３３１を設置し、各弾性フック３３１は三角形状を形成する。掛合固定片３３は押片３２の上方に重ね、更に共に前述のブラシハンドル部前段２０の穿孔２１に挿入設置し、押片３２の前段と各弾性フック３３１は前述の上台座２２２の縦向連通開口２２３と横向連通開口２２４内に納置され、各弾性フック３３１は前述の三角凸部２２５と各停止斜面２２６の間に位置し、且つ各弾性フック３３１の角端はそれぞれ横向連通開口２２４から外部に向けて露出する。
【００１８】
受動部品３４は、押片３２と掛合固定片３３の弾性フック３３１から離れた一端を挟持固定し、更に前述の納置空間１４内に納置する。受動部品３４は、前述の半円歯３１１と相互に噛み合って回転する歯竿３４１を備え、歯竿３４１に遠い一端には前述の掛合凸部部３１３を挿入する凹溝３４２を設置する。
【００１９】
ブラシ４０は、ブラシ台４１及びブラシ台４１上に設置する複数のブラシ毛４２を備え、ブラシ台４１は前述の受台２２に交換式で設置し、ブラシ台４１の両側には前述の横向連通開口２２４に対応する位置にそれぞれ掛合孔４１１を設置し、前述の各弾性フック３３１は横向連通開口２２４から掛合孔４１１で掛合して固定する(図５参照)。
【００２０】
図６及び図７に示すとおり、使用時、レバー３１の各枢設軸３１２を回転中心として、レバー３１を上向きに回転させ、その時、レバー３１の半円歯３１１は受動部品３４の歯竿３４１をブラシハンドル部前段２０方向へ押して移動し、同時に押片３２と掛合固定片３３を前方へ移動させる。そのうち、掛合固定片３３の各弾性フック３３１は上台座２２２の停止斜面２２６からの押圧力を受けて内側へ縮み、ブラシハンドル部前段２０とブラシ４０のブラシ台４１が各弾性フック３３１の掛合から外れ、同時に押片３２がブラシ４０のブラシ台４１を受台２２から外方向へ押し出して分離させる。
【００２１】
上述に示すとおり、本考案の前押し式替えブラシの歯ブラシは想定された使用目的を達成し、公知の欠点を改善する。また新規性及び進歩性に優れるため、実用新案申請要件に完全に符合する。
【符号の説明】
【００２２】
１０      グリップ
１１      収容凹部
１２      枢設孔
１３      係止溝
１４      納置空間
１５      上掛合条
１６      下掛合条
２０      ブラシハンドル部前段
２１      穿孔
２２      受台
２２１      下台座
２２２      上台座
２２３      縦向連通開口
２２４      横向連通開口
２２５      三角凸部
２２６      停止斜面
２３      下掛合溝
２４      上掛合溝
３０      前押し機構
３１      レバー
３１１      半円歯
３１２      枢設軸
３１３      掛合凸部
３１４      係止凸部
３２      押片
３２１      弾性フック
３３      掛合固定片
３３１      弾性フック
３４      受動部品
３４１      歯竿
３４２      凹溝
４０      ブラシ
４１      ブラシ台
４１１      掛合孔
４２      ブラシ毛
【図１】
0003203476.tif 000003
【図２】
0003203476.tif 000004
【図３】
0003203476.tif 000005
【図４】
0003203476.tif 000006
【図５】
0003203476.tif 000007
【図６】
0003203476.tif 000008
【図７】
0003203476.tif 000009